(57)【要約】  タバコ製品用硬質容器（１，２）はプリズム形、実質的矩形、または三角形断面であり、かつ複数の側面（７，８，９，６０，６１，６２）を有し、各側面がフラット中央部（１３，１４，６８）および曲線輪郭を有する二つの長手方向に配置された側線条（２３，２４，６９）を有し、その凹面は容器（１，２）の内側へ向けられ、各二つの隣接側面（７，８，９，６０，６１，６２）の連続的側線条（２３，２４，６９）はシャープ長手コーナ縁（１０，６７）に沿って相互に対して接続している。
2005511080.tif 000002
【特許請求の範囲】
【請求項１】
上端面(１１，６５)、下端面（１２，６６）および複数の側面（７，８，９，６０，６１，６２）を有するプリズム形外観のタバコ製品用硬質容器において、少なくとも二つの相互に対して隣接する側面（７，８，９，６０，６１，６２）の各々がそれぞれフラット部（１３，１４，６８）、および内方に向かう凹面を伴う湾曲形態の少なくとも一つの長手側線条（２３，２４，６９）を有し、かつ二つの隣接する側面（７，８，９，６０，６１，６２）の長手側線条（２３，２４，６９）がシャープな長手コーナ縁に沿って相互に対して接続していることを特徴とする、タバコ製品用硬質容器。
【請求項２】
実質的平行四辺形の外観を有する、請求項１のタバコ製品用硬質容器。
【請求項３】
プリズム形の外観であり三角形断面を有する、請求項１のタバコ製品用硬質容器。
【請求項４】
各側面（７，８，９，６０，６１，６２）、および内方に向けて凹面を伴う湾曲形態の二つの長手側線条（２３，２４，６９）を有し、かつ長手側線条（２３，２４，６９）に沿ってフラット部（１３，１４，６８）は二つの隣接する側面（７，８，９，６０，６１，６２）のフラット部（１３，１４，６８）にそれぞれシャープな長手コーナ縁を介して連結されている、請求項１から３のいずれか１のタバコ製品用硬質容器。
【請求項５】
蝶番止めした蓋（５）を含む、請求項１から４のいずれか１のタバコ製品用硬質容器。
【請求項６】
相互に対して実質的平行の前面（７）および後面（８）を含み、かつ前記前後面（７，８）に実質的垂直で相互に対して平行の側面（９）を有する、請求項５のタバコ製品用硬質容器。
【請求項７】
湾曲形態の長手側線条（２３，２４，６９）は複数の折り目線（２５，７０）を有する、請求項１から６のいずれか１のタバコ製品用硬質容器。
【請求項８】
各対の相互に反対面（７，８，９）のフラット中心部（１３，１４）間の距離は、各対の反対面（７，８，９）に対してシャープコーナ縁間の距離よりも大きい、請求項６のタバコ製品用硬質容器。
【請求項９】
開放上端（４）を有するカップ形外観の容器（３）、前記開放上端（４）に蝶番止めされ、かつ容器（３）を開閉する開放位置と閉鎖位置間で回転自在のカップ形外観の蓋（５）、および前記容器（３）に固定されかつ前記開放上端（４）から一部が突出した剛性フレーム（３１）を含む、請求項５のタバコ製品用硬質容器。
【請求項１０】
中心軸（４１，７２）を中心に実質的矩形外形を有する、カードボードまたは同様材料により打抜きされたフラットなブランク（４０，７１）から形成された、請求項１から９のいずれか１のタバコ製品用硬質容器。
【請求項１１】
中心軸（４１）を中心とし、二つの長手折り目線（４２，４３）および複数の横切る方向の折り目線（４７〜５２）を有し、かつ長手折り目線（４２，４３）間で前記容器（３）の蓋（５）の前パネル（７ａ’，７ｂ’）、中間パネル（１１’，１２’）および後パネル(８ａ',８ｂ')を形成するブランク（４０，７１）から構成され、前記前パネル（７ａ’，７ｂ’）および後パネル(８ａ',８ｂ')は両側で対応する対の長手に配置された側ウイング（５３，５４，５５，５６）に連結され、各前パネル（（７ａ’，７ｂ’）および後パネル(８ａ',８ｂ')はフラット中心部（１３’）および予め折り目を付けた二つの側線条（２３’）を有し、かつ長手に配置された側ウイング（５３，５４，５５，５６）の各々はそれぞれ隣接するパネル（７ａ’，７ｂ’，８ａ',８ｂ')の予め折り目を付けた線条（２３’）に隣接しかつシャープコーナ縁（１０）に形成されたそれぞれの長手折り目線（４２，４３）に沿って同一パネルに連結されたフラット部（１４’）および少なくとも一つの予め折り目を付けた側線条（２４’）を有する、請求項１０のタバコ製品用硬質容器。
【請求項１２】
パケットの前面（６３）に対応する二つのパネル（６０’，６１’）、後面（６４）に対応する一つのパネル（６２’）、および一つの連結パネル（７３）を画定する相互に平行の三つの予備折り目線（６７’）、
三つの予備折り目線（６７’）と交差しかつ一方で容器の前面を他方で蓋の前面から分離する横方向のＶ形カット（７４）、および
Ｖ形カット（７４）の各端から延び、予備折り目線（６７’）を横切り、かつ蓋（５）の蝶番（３０）として機能する二つの折り目線（７６）を有し、かつ
対応する折り目線（７９）によって前記ブランク（７１）に一側に沿って連結され、かつパケット（２）の上端面（６５）および下端面（６６）にそれぞれ対応する実質的三角形の二つのウイング（７７，７８）、および
パケット（２）の内側へ向けて凹面を形成する湾曲形態の長手側線条（６９）を確立する作用をする各予備折り目線（６７’）の両側に対で形成された予め折り目を付けた線条（６９’）を有する、横切る方向の中心軸（７２）を有するブランク（７１）から形成された、請求項１０のタバコ製品用硬質容器。
【発明の詳細な説明】
【技術分野】
【０００１】
本発明はタバコ製品用の硬質容器に関する。
【０００２】
本発明は、予備折り目付けて打抜いた、カードボード等による比較的フラットなブランクから形成される蝶番式蓋を有するタバコのパケットの製造に特に有用である。その内容は非制限的な続く明細書で明かにされる。
【背景技術】
【０００３】
伝統的タイプの硬質パケットは、シャープな長手コーナ縁と共に矩形部を有する平行四辺形の外観を有する。かかるパケットは人体に容易には適合しない形状に起因し、かつ上記長手コーナ縁は喫煙者の着用衣服のポケットを時に摩損させることに起因する欠点を有する。
【０００４】
これらの問題は、一つのタバコの曲率半径に合致した円弧形の長手コーナ縁を有する硬質パケットを提供する従来技術によって志向されている。かかる欠点を克服することに加え、このタイプのパケットは伝統的ブランクよりも小さい表面積のフラットな打抜き(diecut)ブランクから形成される利点をもたらし、そのようにしてコスト利益をもたらす。にもかかわらず、このように形成されたパケットは未だある種の欠点を有する。
【０００５】
第一の欠点は、シャープな長手コーナ縁の欠如の結果として、構造的剛性が減少し、特に円弧形コーナ縁に沿ってパケットを容易に変形させる傾向がある。四つの長手コーナ縁の各コーナに対応する半径を持つバンド（band)材料により形成された内面と衝突する場合に、円弧形コーナ縁の変形はパケットのコーナにあるタバコ上に直接的に衝撃を与える。
【０００６】
第二欠点は、問題の円弧状コーナ縁が従来パッカー機（packer machines)に大幅な変更をすることによってのみ製造できることである。特に、完成パケットの円弧状コーナ縁を構成するブランクの領域に複数の線条（bands)を形成する折れ目を予め付けるために煩瑣な変形工程が必要とされる。
【０００７】
他の欠点は、透明オーバーラップ材によるシートで単一パケットを包囲するために使用されるタイプの伝統的セロファン加工機（cellophaners）がシャープ長手コーナ縁を有する平行四辺形パケットを、最初に、処理するように設計されることである。かかるオーバーラップ機はここで説明するタイプのパケットに適切でないことが知見されている。特に顕著には、余分な材料が円弧状コーナ縁の端で上下端面のまわりに山になる傾向があり、醜い折り目および折れを形成し、これらは特にヒートシール工程が一旦実行された後にパケットの上下端面から突出することになる。
【発明の開示】
【発明が解決しようとする課題】
【０００８】
本発明の課題は上記欠点を伴わないタバコ製品用硬質容器を形成することにある。
【課題を解決するための手段】
【０００９】
上記課題は、上端面、下端面および複数の側面を有するプリズム形外観のタバコ製品用硬質容器において、少なくとも二つの相互に対して隣接する側面の各々がそれぞれフラット部、および内方に向かう凹面を伴う湾曲形態の少なくとも一つの長手側線条を有し、かつ二つの隣接する前記側面の長手側線条がシャープな長手コーナ縁に沿って相互に対して結合されていることを特徴とする本発明によって実現される。
【発明を実施するための最良の形態】
【００１０】
次に添付図面を参照して例示として本発明を詳細に説明する。
図１、２、３、８および９は本発明によるタバコ製品用硬質パケットの二つの実施形態を示す。それぞれのパケットは図１、２および３において参照番号１で、図８および９において参照番号２により示されている。両パケット１および２はプリズム形外観を有し、開放上端４を有する容器３、容器３に蝶番止めされた蓋５を含み、蓋５は開放位置と、容器の開放上端４を閉鎖する閉鎖位置間で容器３に対して回転自在に容器の開放上端４上に載置される。パケット１はそれぞれ一群のタバコ６を収容する作用をする（図２および９に示されている）。
【００１１】
図１、２および３の形態において、閉鎖位置を占領する蓋５により、パケット１は、四側面、即ち相互に対して平行の前面７および後面８、相互に対して実質的に平行かつ前後面７，８に実質的垂直にシャープコーナ縁１０に沿ってそれぞれ結合された二つの側面９、ならびに相互に対して平行ででありかつ前後面７，８および側面９に垂直の上端面１１および下端面１２で構成される実質的矩形平行四辺形の外観を呈する。
【００１２】
四側面７，８，９は外方に突出し、相対的に大きい側面７および８は実質的矩形外形のフラット中心部１３を有し、かつ、同様に、各側面９は実質的矩形外形のフラット中心部１４を有する。相対的に大きい面のフラット中心部１３は上端面１１の一つの相対的に長い側１６により提供される直線中心部１５によって上部が画定され、かつ下端面１２の相対的に長い側１８により提供される直線中心部１７により下部が画定される。上下直線中心部１５および１７は相互に対して同一である。
【００１３】
同様に、側面のフラット中心部１４は上端面１１の相対的に短い側２０により提供される直線中心部１９により上部が画定され、かつ下端面１２の相対的に短い側２２により提供される直線中心部２１により下部が画定される。上下直線中心部１９および２１は相互に対して同一である。
【００１４】
各相対的に大きい面７および８は、更に、中心部１３の各側に一つが位置決めされた二つの長手側線条もしくは縞（bands)２３を含む。同様に、各側面９は、更に、中心部１４の各側に一つが位置決めされた二つの長手側線条２４を含む。特に、相対的に大きい面７および８の各側線条２３はシャープなコーナ縁１０に沿って側面９のそれぞれの側線条２４に接続する。
【００１５】
更に、相対的に大きい面７および８の各側線条２３は、破断なく連続的にそれぞれの中心部１３から側方へ延在する。即ち、その曲率の変化に不連続部を含まない。同様に、側面９の各側線条２４は、破断なく連続的にそれぞれの中心部１４から側方へ延在する。即ち、その曲率の変化に不連続部を含まない。
【００１６】
各線条２３および２４は、パケット１の内側へ向かう凹面を持つ湾曲形態もしくは曲線輪郭を形成するように、長手折り目線２５で曲げ易くなっている。特に、相対的に大きい面７および８の各側線条２３は、上端面１１の相対的に長い側１６により提供される湾曲部２６に提供される上縁、および下端面１２の相対的に長い側１８により提供される湾曲部２７に提供される下縁を有する。上下湾曲部２６および２７は相互に対して同一である。
【００１７】
同様に、側面９の各線条２４は、上端面１１の相対的に短い側２０により提供される湾曲部２８に提供される上縁、および下端面１２の相対的に短い側２２により提供される湾曲部２９に提供される下縁を有する。上下湾曲部２８および２９は相互に対して同一である。
【００１８】
上記説明に照らして、相対的に大きい前後面７および８の中心部１３間の距離は、前後面７および８に直角に測定して、二コーナ縁１０間の対応する距離よりも大きく、かつ同様に、二側面９の中心部１４間の距離は、前後面７および８に直角に測定して、二コーナ縁１０間の対応する距離よりも大きい。
【００１９】
前後面７，８および側面９の各々は、蓋５の相対面に対応する接尾語「ａ」を付して示した上部を含み、かつ容器３の相対面に対応する接尾語「ｂ」を付した下部を含み、他方、上端面１１は蓋５の上部に対応しかつ下端面１２は容器３の下部に対応する。
【００２０】
閉鎖位置を占領する蓋５により、三つの上部７ａ，８ａおよび９ａは下部７ｂ，８ｂおよび９ｂの対応する自由縁に提供される自由縁を有し、他方、蓋５の後面８ａにより提示される縁は容器３の後面８ｂにより提示される縁に永久的に結合され、この二つの結合が蝶番３０を形成し、蝶番３０を中心に蓋５は開放位置と閉鎖位置間を回転する。
【００２１】
図２に示されたように、硬質パケット１は、前面７の内側に堅く連結された胸片（breast piece)３２および胸片２９に連結された二つの側片３３で構成され、開放上端４を超えて一部が突出するＵ形の剛性フレーム３１を含む。胸片および側片の各々は対応する側面９の内側に堅く結合される。
【００２２】
胸片３２は、パケット１の前面７により提供されるフラット中心部１３のそれぞれの内側面に一部が接着されるフラットな中心部３４、およびパケット１の前面７により提供される側線条２３の内側面へ一部が接着される曲線輪郭をもつ予め折り目を付けた二つの側線条３５を有する。同様に、フレーム３１の各側片３３は、パケット１の対応する側面９により提供されるフラット中心部１４のそれぞれの内側面へ一部が接着されるフラットな中心部３６、および側面９により提供される側線条２４の内側面へ一部が接着される曲線輪郭をもつ予かじめ折り目を付けた二つのそれぞれの側線条３７を有する。
【００２３】
フレーム３１の胸片３２により提供される側線条３５は、パケット１のコーナ縁１０と実質的垂直方向に整合して延在するそれぞれのシャープコーナ縁によって側片３３のそれぞれの線条３７に接続する。
【００２４】
各側線条３５および３７は、それぞれの複数の長手折り目線により曲げ易くなっており、各コーナ縁１０’は、蓋５が閉鎖位置で安定保持されるように、蓋５の内面と相互作用するように位置決めされたリップ部３９を創出する作用をする長手Ｕ形スロット３８を有する。
【００２５】
理解されるように、リップ部３９は、線条３５の付属部を構成するように、それぞれの側線条３５から側方へ突出している。シャープコーナ縁１０’の共働により、その付属部は、閉鎖位置において蓋５の効果的保持作用を十分に保証するために対応する線条３７から突出する。
【００２６】
図４を参照すると、パケット１は実質的に細長い矩形外形を有するフラット打抜きブランク４０から形成される。その各部は、起立パケット１の対応する各部に示された同一参照番号を用いて示されている。
【００２７】
ブランク４０は、中心長軸４１に対称的でありかつ長軸４１の各側に各々が配置され、ブランク４０を三つの長手部４４、４５および４６に分割する横並びにされた二つの長手折り目線４２および４３を有する。三つの部４４、４５および４６は長軸４１を横切る複数の折り目線４７から５２と交差する。
【００２８】
中間部４５は交差する折り目線４７から５２により、折り目線４７および４８間に位置するパネル７ａ’、折り目線４８と４９間のパネル１１’、折り目線４９と５０間のパネル８ａ’、折り目線５０と５１間のパネル８ｂ’、パネル１１’に実質的同一の折り目線５１と５２間のパネル１２’、およびパネル１２’に連結された端パネル７ｂ’に分割される。
【００２９】
ブランク４０は、更に、実質的三角形形状を呈する複数の側ウイング５３、５４、５５および５６を含み、各ウイングは長手折り目線４２および４３を介してパネル７ａ’、７ｂ’、８ａ’および８ｂ’の外縁にそれぞれ対で連結され、参照番号５５で示されたウイングは横切る方向の折り目線４９に沿って連結されかつウイング５３に向かう長手付属部５７を担持する。同様に、ウイング５６は横切る方向の折り目線５１に沿って連結されかつウイング５４に向かう長手付属部５８を担持する。
【００３０】
前面７を形成するパネル７ａ’および７ｂ’、ならびに後面８を形成するパネル８ａ’および８ｂ’は、パケット１の前後面７，８により提供されるフラット中心部１３に整合するフラット中心部１３’を有する。パネル７ａ’、７ｂ’、８ａ’および８ｂ’は、その各々がパケット１の側線条２３に整合する、対応する中心部１３’の各側に二つの線条２３’を有する。
【００３１】
同様に、起立パケット１の側面９を形成するウイング５３、５４、５５および５６は、それぞれフラット部１４’を含み、各フラット部はパケット１の側面９の一対のフラット中心部１４を形成し、かつそれぞれの予め折り目を付けた長手線条２４’がそれぞれのフラット部１４’とパネル７ａ’、７ｂ’、８ａ’および８ｂ’の線条２３’間に介在する。ウイング５３、５４、５５および５６は、パケット１のシャープ長手コーナ縁１０を形成する長手折り目線４２および４３に沿ってそれぞれパネル７ａ’、７ｂ’、８ａ’および８ｂ’に連結されている。
【００３２】
パネル７ａ’は、更に、横切る方向の第一折り目線４７に沿って、パネル７ａ’と同一幅を有する補強フラップ５９に連結されている。
【００３３】
図５および６を参照すると、理解されるように、パケット１の上端面１１に整合するパネル１１’は実質的矩形でありかつ相対的に長い側１６’のそれぞれの直線中心部１５’に沿って隣接パネル７ａ’および８ａ’に連結されている。相対的に長い側１６’の湾曲部２６’は各パネル７ａ’および８ａ’の側線条２３’から分離して図示されている。
【００３４】
同様に、パケット１の下端面１２に整合するパネル１２’は実質的矩形でありかつ相対的に長い側１８’のそれぞれの直線中心部１７’に沿って隣接パネル７ｂ’および８ｂ’に連結されている。相対的に長い側１８’の湾曲部２７’は各パネル７ｂ’および８ｂ’の側線条２３’から分離して図示されている。
【００３５】
理解されるように、一方のパネル１１’の短い側２０’は長手折り目線４２および４３上で実質的一直線かつ凸状になり、各短い側２０’は直線中心部１９’、および対応するシャープコーナ縁１０により相対的に長い側の対応する湾曲端部２６’に接続する二つの湾曲端部２８’を有する。
【００３６】
同様に、他方のパネル１２’の短い側２２’は長手折り目線４２および４３上で実質的一直線かつ凸状になり、各短い側２２’は直線中心部２１’、および対応するシャープコーナ縁１０により相対的に長い側の対応する湾曲端部２７’に接続する二つの湾曲端部２９’を有する。
【００３７】
図７および７ａを参照すると、理解されるように、湾曲部２６’そして結果的に湾曲部２７’の半径は湾曲部２８’、そして結果として湾曲部２９’の半径と相違してよい。従って、相対する線条２３’および２４’の幅は比例して変化する。
【００３８】
蝶番３０は横切る折り目線５０に合致する。長い方のウイング５４および５６は連結されているそれぞれパネル７ｂ’および８ｂ’に対して直角に曲折する。そこで、パネル７ｂ’および８ｂ’は、中間パネル１２’に対して直角に相互方向へ曲折し、結果として、一対のウイング５６は他方の対のウイング５４上に重なり、ウイング５４および５６の側線条２４’を連結されたフラット部１４’に対して湾曲状態にし、かつ容器３の側面９ｂを形成し、かつパネル７ｂ’および８ｂ’の側線条２３’を同様にフラット部１３’に対して湾曲形態にして、容器３の前後面７ｂおよび８ｂを形成する。同様に、付属部５８はそれぞれのウイング５６に対して直角に内方へ曲折し、かつウイング５６と共に対応するパネル１２’の内側面と係合する点まで回転し、それにより付属部５８をパケット１の下端面１２を確立するためにパネル１２’に結合する。
【００３９】
同様に、短い方のウイング５３および５５はそれぞれ連結されているパネル７ａ’および８ａ’に対して直角に折れ曲げられる。フラップ５９は隣接パネル７ａ’の内面に対して二重に折り曲げられ、その上に二つのパネル７ａ’および８ａ’が中間パネル１１’に対して直角に相互方向へ折り曲げられ、そのようにして一対のウイング５３は最終的に他対のウイング５５上に重ねて、側線条２４’を関連フラット部１４’に対して湾曲形態にし、かつそのようにして蓋５の側面９ａを形成し、かつパネル７ａ’および８ａ’の側線条２３’を同様にフラット部１３’に対して湾曲形態にして、蓋５の前後面７ａおよび８ａを形成する。
【００４０】
同様に、付属部５７はそれぞれのウイング５５に対して直角に内方へ曲折し、かつウイング５５と共に対応するパネル１１’の内側面と係合する点まで回転し、それにより付属部はパケット１の上端面１１を確立するためにパネル１１’に結合する。
【００４１】
二つの長手線４２および４３は側線条２３’および２４’を生成する線２５よりも強力に折り目をつけられ、そのようにして、打抜きブランク４０が上述のごとく折り目線４２および４３に沿って折り曲げられときに、パケット１のシャープ縁１０が困難を伴うことなく決定的に形成される。
【００４２】
理解されるように、ブランク４０を折り畳む作業は単に容器３および蓋５に関するだけである。従って、好ましくは、剛性フレーム３１は分離の折り畳み作業により準備されかつ容器３に組立てられる。
【００４３】
図８および９の実施形態例において、パケット２は実質的三角形断面を有するプリズム立体物の外観を有し、三側面６０、６１および６２を含み、その内の側面６０および６１は前面６３を確立するために組立てられ、かつ残りの側面６２は後面を確立する。パケット２の上下端面はそれぞれ６５および６６で示されている。側面６０、６１および６２はそれぞれシャープコーナ縁に沿って順次結合されている。
【００４４】
上述のパケット１と同様に、パケット２の三つの側面６０、６１および６２は凸形態を呈する。更に正確には、各面は実質的矩形フラット中心部６８、およびフラット中心部６８の両側に設けられた二つの長手側線条６９を含み、その側線条の各々が、関連シャープコーナ縁６７に沿って隣接面の対応する側線条６９に接続されている。
【００４５】
各線条６９は長手折り目線７０により曲げ易くなっていて、パケット２の内側へ向かう凹面を持つ湾曲形態もしくは曲線輪郭の形成を可能にする。
【００４６】
図１１から認識できるように、上端面６５および下端面６６の各側は側面６０、６１および６２に提供されるフラット中心部６８の端と整合する直線状部、および側線条６９の端に整合するそれぞれの湾曲端部を有する。
【００４７】
図１０を参照すると、パケット２は実質的に細長い矩形輪郭を有するフラット打抜きブランク７１から形成され、その各構成部は起立パケット２の対応する構成部を示すために使用された同一参照番号が可能なかぎり付されている。
【００４８】
特に、フラットブランク７１は、横中心軸７２を有し、かつパケット２の前面６３を形成する二つのパネル６０’および６１’を画定する相互に平行の予め折り目を付けた折れ線６７’、パケット２の後面６４に合致するパネル６４’、および後パネル６４’の内側面と最終的に接触する連結パネル７３を有する。
【００４９】
ブランク７１のパネル６０’、６１’、６４’および７３’は、更に各折れ線６７’の各側に位置する側線条６９’を有していて折り目７０’から曲折可能である。
【００５０】
ブランク７１は、更に、三つの折り目を予め付けた折り線６７と交差する横方向に設けたＶ形カット４２を有し、かつ更に精確には、予め折り目を付けた中心折り線６７’へ集中する二つの角度を付けた脚部７５で構成される。Ｖ形カットの二端は折り線６７’を横切って延びたそれぞれの折り目線７６に結合されて、蓋５の蝶番として機能する。
【００５１】
パケット２の後面に合致するパネル６４’は上ウイング７７および下ウイング７８に連結され、各ウイングは相対する折り目線７９に沿ってパネル６４’に連結されている。二つのウイング７７および７８は実質的三角形であり、かつそれぞれパケット２の上端面６５および下端面６６を確立するのに寄与する。予め折り目を付けた線条６９’は、パケット２の内側へ向かう凹面を有する湾曲形態もしくは曲線輪郭を形成するたように設計された長手側線条６９をそれぞれ確立する作用をする。
【００５２】
観察されるように、第二パケット２は、第一パケット１と同様にフレーム８０を含み、この実施形態において、前面６３により提供される線条６９の内側面と当接する予め折り目を付けた中心線条８２により連結された二つの側片８１を備える。
【００５３】
本発明は、タバコの複数のパケットを保持しかつ寸法に関してのみ上述のパケット１および２と相違する設計のカートンとして具体化される容器にも同様に利用可能である。
【図面の簡単な説明】
【００５４】
【図１】本発明による容器の第一実施形態を表すパケットを閉鎖状態で示す前方から見た斜視図である。
【図２】開放状態の図１のパケットを示す前から見た斜視図である。
【図３】閉鎖状態の図１のパケットを示す後から見た斜視図である。
【図４】図１のパケットを製造するために使用される打抜きブランクを示す。
【図５】図４のブランクから形成した図１のパケットの上から見た平面図であり、５ａは拡大説明図である。
【図６】図４のブランクから形成した図１のパケットの下から見た平面図であり、６ａは拡大説明図である。
【図７】図１のパケットの変形体を示す上から見た平面図であり、７ａは拡大説明図である。
【図８】本発明による容器の第二実施形態を表すパケットを示す斜視図である。
【図９】本発明による容器の第二実施形態を表すパケットを示す斜視図である。
【図１０】図９のパケットを製造するために使用される打抜きブランクを示す。
【図１１】図１０のブランクから形成した図８のパケットを示す平面図である。
【図１】
2005511080.tif 000003
【図２】
2005511080.tif 000004
【図３】
2005511080.tif 000005
【図４】
2005511080.tif 000006
【図５】
2005511080.tif 000007
【図５ａ】
2005511080.tif 000008
【図６】
2005511080.tif 000009
【図６ａ】
2005511080.tif 000010
【図７】
2005511080.tif 000011
【図７ａ】
2005511080.tif 000012
【図８】
2005511080.tif 000013
【図９】
2005511080.tif 000014
【図１０】
2005511080.tif 000015
【図１１】
2005511080.tif 000016
【国際調査報告】
2005511080.tif 000017
2005511080.tif 000018